(57)【要約】【課題】均一照度の線状照明光を安価な構成で容易に形成することができる線状照明装置を提供する。【解決手段】必要とされる光源の長さに応じて複数個の光源部５を直線状に配列して光源２を構成する。これにより、光源２を安価且つ容易に構成することができる。このような光源２に対し、複数の発光面部１１に跨って入射面２１が対向する導光部２０を配置し、当該導光部２０の入射面２１に、各発光面部１１の間隙に対応する凹部２３を凹設する。これにより、導光部２０の内部に反射面を突出形成することができる。そして、各発光面部１１からの入射光のうち導光部２０の長手方向に拡散する光の一部を凹部２３上の反射面で反射し、この反射光を各発光面部１１の間隙に対向する領域（及びその近傍）で集光レンズ２５に入射させることにより、発光面部１１間の光量を補うことができる。【選択図】図１
2010003643.tif 000002
【特許請求の範囲】
【請求項１】
基板上に発光面部が形成された光源部が直線状に複数配列された光源と、
前記光源部の配列方向に延在され、複数の前記発光面部に跨って入射面が対向する導光部と、
隣接する前記発光面部の間隙に対応して前記導光部の入射面に凹設されて前記導光部の内部に反射面を形成する凹部と、
前記導光部を介して前記光源から導かれた光を直線状に集光する集光レンズと、を備えたことを特徴とする線状照明装置。
【請求項２】
前記凹部は、側面視円弧状をなす凹部であることを特徴とする請求項１記載の線状照明装置。
【発明の詳細な説明】
【技術分野】
【０００１】
本発明は、連続的な直線状の狭い範囲に照明光を線状に集光させる線状照明装置に関する。
【背景技術】
【０００２】
複写機やファクシミリ装置等には、画像読取用の照明光として、細長な線状の照明光を形成する線状照明装置が用いられる。この線状照明装置には、一般に、入射光に対して１軸方向のみ変化を与えて焦点で線状のビームを形成するためのシリンドリカルレンズ（集光レンズ）が用いられる。
【０００３】
近年、この種の照明装置では、放電管ランプやハロゲンランプ等のみならず、発光ダイオード（ＬＥＤ）等の各種光源が採用される傾向にある。例えば、特許文献１には、先端部が線状に配列された光ファイバー束の基端部を面発光型のＬＥＤの発光面に対向させるとともに、当該光ファイバー束の先端部に導光板（シリンドリカルレンズ）を対向配置することにより、線状の照明光を形成する技術が開示されている。
【０００４】
さらに、近年では、点光源であるＬＥＤに代えて、面光源であるエレクトロ・ルミネッセンス（ＥＬ）等を線状照明装置の光源として採用することも検討されている。この場合、細長な基板上にＥＬ等の発光面部を帯状に形成することにより、光ファイバー束等を必要としない簡単な構成で、シリンドリカルレンズの入射面全域に光を入射させることが期待できる。
【特許文献１】特開２００８−２８３６号公報
【発明の開示】
【発明が解決しようとする課題】
【０００５】
しかしながら、一般に、複写機やファクシミリ装置等に必要とされる線状の照明光は数十センチ以上に渡る長大なものであり、このような長大な発光面部を備えた光源部を製造するためには、大型な設備を必要とし、コスト的にも現実的ではない。
【０００６】
これに対処し、例えば、所定長さの短冊状に形成した光源部を、必要とされる線状照明光の長さに応じて直線状に複数個配列することも考えられるが、一般に、この種の光源部は基板上の発光面部の周囲に非発光な領域が形成されるため、各光源部の接続部分において発光面部が不連続となり、照明光に局所的な暗部が発生する虞がある。
【０００７】
本発明は、均一照度の線状照明光を安価な構成で容易に形成することができる線状照明装置を提供することを目的とする。
【課題を解決するための手段】
【０００８】
本発明は、基板上に発光面部が形成された光源部が直線状に複数配列された光源と、前記光源部の配列方向に延在され、複数の前記発光面部に跨って入射面が対向する導光部と、隣接する前記発光面部の間隙に対応して前記導光部の入射面に凹設されて前記導光部の内部に反射面を形成する凹部と、前記導光部を介して前記光源から導かれた光を直線状に集光する集光レンズと、を備えたことを特徴とする。
【発明の効果】
【０００９】
本発明の線状照明装置によれば、均一照度の線状照明光を安価な構成で容易に形成することができる。
【発明を実施するための最良の形態】
【００１０】
以下、図面を参照して本発明の形態を説明する。図面は本発明の一実施形態に係わり、図１は線状照明装置の分解斜視図、図２は線状照明装置の斜視図、図３は光学部材を底面側から見た斜視図、図４（ａ）は図２のＩ−Ｉ線に沿う要部断面図であり（ｂ）は図２のII−II線に沿う要部断面図、図５（ａ）は図４（ａ）の断面における照明光の挙動を示す説明図であり（ｂ）は図４（ｂ）の断面における照明光の挙動を示す説明図、図５（ａ）は線状照明装置の幅方向の平均照度を示す図表であり（ｂ）は線状照明装置の長さ方向の平均照度を示す図表である。
【００１１】
図１，２に示す照明装置１は、例えば、複写機用の線状照明光を形成するための線状照明装置であり、この照明装置１は、例えば、複数の光源部５が配列された光源２と、この光源２からの光を直線状の光束に調光する光学部材３とを有する。
【００１２】
各光源部５は、例えば、平面視形状が細長な矩形形状をなすガラス基板１０を有し、このガラス基板１０上に、エレクトロ・ルミネッセンス（ＥＬ）からなる発光面部１１が形成されている。
【００１３】
具体的には、本実施形態の光源部５において、ガラス基板１０の裏面には、発光面部１１を形成するための正電極１５と負電極１６とが配設されている。
【００１４】
正電極１５は、例えば、ＩＴＯ等の透明導電膜からなる帯状の第１，第２の導電部１５ａ，１５ｂがＬ字状に連続して構成されている。この正電極１５を構成する第１の導電部１５ａは、ガラス基板１０の長手方向一端部に配設され、当該ガラス基板１０の短手方向に沿って延在されている。一方、第２の導電部１５ｂは、ガラス基板１０の長手方向に沿って延在されている。
【００１５】
負電極１６は、例えば、アルミニウム等の高反射性を有する金属導電膜からなる帯状の第１，第２の導電部１６ａ，１６ｂがＬ字状に連続して構成されている。この負電極１６を構成する第１の導電部１６ａは、ガラス基板１０の長手方向他端部に配設され、当該ガラス基板１０の短手方向に沿って延在されている。一方、第２の導電部１６ｂは、ガラス基板１０の長手方向に沿って延在され、正電極１５を構成する第２の導電部１５ｂの上層に重畳配置されている。
【００１６】
これら正電極１５と負電極１６との重畳領域には、正孔輸送層、発光層、及び電子輸送層（何れも図示せず）が介装されている。そして、正電極１５と負電極１６との間に電圧が印加された際に、正孔輸送層を通過した正孔と電子輸送層を通過した電子とが結合することにより、発光層が発光する。この発光層から発光された光は、負電極１６で反射するとともに正電極１５及びガラス基板１０を透過して、或いは、直接的に正電極１５及びガラス基板１０を透過して放射される。これにより、正電極１５と負電極１６とが重畳された領域には、ガラス基板１０の表面側を発光面として面状に発光する発光面部１１が形成される。ここで、ガラス基板１０上の縁辺部には製造上の理由等によるマージンが設定されており、このようなマージンが設定されることにより、光源部５は、発光面部１１の周部に非発光領域１２を有する。
【００１７】
このように構成された複数の光源部５は、直線状に一列に配列され、発光面部１１が間欠的に延在する長尺な光源２を構成する。
【００１８】
光学部材３は、入射面２１が光源２に対向して配置された導光部２０と、この導光部２０の出射側に連設された集光レンズ２５とを有する。
【００１９】
導光部２０は、光源２の長手方向に沿って延在する長尺な光透過性部材で構成され、その入射面２１は、光源２上で隣接する複数の発光面部１１に跨って対向されている。本実施形態において、導光部２０は、例えば、光源２の長手方向の全長と略同じ長さの長尺な光透過性部材で構成され、これにより、導光部２０の入射面２１は、光源２上に配列された全ての発光面部１１に跨って対向されている。
【００２０】
また、導光部２０は、入射面２１に連続して起立する４つの側壁２２が、発光面部１１側から集光レンズ２５側へと拡開するよう傾斜されている。この側壁２２の傾斜角θ（図４，５参照）は、実験やシミュレーション等に基づいて設定されている。この傾斜角θが適値に設定されることにより、導光部２０は、入射面２１からの入射光を内部反射させながら集光レンズ２５へと導く（図５参照）。その際、導光部２０は、特に短手方向において、発光面部１１から放射された光を反射によって平行光に近づけるよう調光しながら、集光レンズ２５へと導く。
【００２１】
また、導光部２０の入射面２１には、隣接する発光面部１１の各間隙（非発光領域１２）に対応する凹部２３が凹設されている。本実施形態において、各凹部２３は、側面視円弧状をなすアーチ状の凹部で構成され、その凹面上には、例えば、アルミニウム等の高反射性を有する反射膜２３ａが形成されている（図４（ｂ）参照）。これにより、各発光面部１１の間隙に対応する領域において、導光部２０には、内部に突出する反射面が形成されている。
【００２２】
ここで、凹部２３を形成する円弧の半径は、例えば、導光部２０の全高の１／２程度であることが望ましい。この凹部２３の形状等をシミュレーション等に基づいて適切に設定することにより、凹部２３上の反射面は、導光部２０内を長手方向に拡散する光の一部を反射し、各発光面部１１間の非発光領域１２に対向する領域において集光レンズ２５に入射させる。
【００２３】
集光レンズ２５は、例えば、導光部２０からの入射光に対し、光学部材３の短手方向のみ変化を与えることで直線状に集光させるシリンドリカルレンズで構成されている。ここで、集光レンズ２５は、導光部２０と別部材で構成することも可能であるが、本実施形態においては、構造の簡素化等を目的として、導光部２０と一体形成されている。
【００２４】
このように構成された光学部材３は、例えば、図２に示すように、導光部２０の入射面２１が透明接着剤等を介してガラス基板１０に接着されることにより、光源２に固定される。この場合、発光面部１１からの導光部２０の入射面２１で全反射することを防止するため、透明接着剤等の屈折率は、ガラス基板１０や光学部材３の屈折率と近いことが望ましい。
【００２５】
このような実施形態によれば、必要とされる光源の長さに応じて複数個の光源部５を直線状に配列して光源２を構成することにより、光源２を安価且つ容易に構成することができる。このような光源２に対し、複数の発光面部１１に跨って入射面２１が対向する導光部２０を配置し、当該導光部２０の入射面２１に、各発光面部１１の間隙に対応する凹部２３を凹設することにより、導光部２０の内部に反射面を突出形成することができる。そして、各発光面部１１からの入射光のうち導光部２０の長手方向に拡散する光の一部を凹部２３上の反射面で反射し、この反射光を各発光面部１１の間隙に対向する領域（及びその近傍）で集光レンズ２５に入射させることにより、発光面部１１間の光量を補うことができる。これにより、ＥＬ等の面光源を用いた場合にも、均一照度の線状照明光（図６参照）を安価な構成で容易に形成することができる。なお、図６（ｂ）中に、比較例として、導光部２０に凹部２３（反射面）を形成していない場合の照度特性を示す。
【図面の簡単な説明】
【００２６】
【図１】線状照明装置の分解斜視図
【図２】線状照明装置の斜視図
【図３】光学部材を底面側から見た斜視図
【図４】（ａ）は図２のＩ−Ｉ線に沿う要部断面図であり（ｂ）は図２のII−II線に沿う要部断面図
【図５】（ａ）は図４（ａ）の断面における照明光の挙動を示す説明図であり（ｂ）は図４（ｂ）の断面における照明光の挙動を示す説明図
【図６】（ａ）は線状照明装置の幅方向の平均照度を示す図表であり（ｂ）は線状照明装置の長さ方向の平均照度を示す図表
【符号の説明】
【００２７】
１…照明装置（線状照明装置）、２…光源、３…光学部材、５…光源部、１０…ガラス基板、１１…発光面部、１２…非発光領域、１５…正電極、１５ａ…第１の導電部、１５ｂ…第２の導電部、１６…負電極、１６ａ…第１の導電部、１６ｂ…第２の導電部、２０…導光部、２１…入射面、２２…側壁、２３…凹部、２３ａ…反射膜、２５…集光レンズ
【図１】
2010003643.tif 000003
【図２】
2010003643.tif 000004
【図３】
2010003643.tif 000005
【図４】
2010003643.tif 000006
【図５】
2010003643.tif 000007
【図６】
2010003643.tif 000008